(57)【要約】  ヘッドと、噴霧器と、そのための電力供給装置と、使用中噴霧器によって毛髪に塗布される組成物を収容するリザーバとを備える整髪器具であって、組成物は、１３以下の平均炭素鎖長を有する炭化水素を含む溶液と、有益剤とを含み、組成物は、２５°Ｃで４．５ｃＳｔ以下の粘度を有する。【特許請求の範囲】
【請求項１】
ヘッドと、噴霧器と、そのための電力供給装置と、使用中噴霧器によって毛髪に塗布される組成物を収容するリザーバとを備える整髪器具であって、組成物が、１３以下の平均炭素鎖長を有する炭化水素を含む溶液と、有益剤とを含み、組成物が、２５°Ｃで４．５ｃＳｔ以下の粘度を有する、器具。
【請求項２】
有益剤が、シリコーンである、請求項１に記載の器具。
【請求項３】
シリコーンが、２５°Ｃで５００ｃＳｔを下回る粘度を有する、請求項３に記載の器具。
【請求項４】
組成物内のシリコーンの総レベルが、１重量％以下である、請求項２または３に記載の器具。
【請求項５】
炭化水素が、８から１２の平均鎖長を有する、請求項１から４のいずれか一項に記載の器具。
【請求項６】
ヘッドが、剛毛または歯状支持部ヘッドである、請求項１から５のいずれか一項に記載の整髪器具。
【請求項７】
ブラシである請求項１から６のいずれか一項に記載の器具。
【請求項８】
噴霧器が、剛性リングによって画定されたガーゼと、噴霧される組成物を収容するためのリザーバと、電力供給装置に接続された回路とを備える、請求項１から７のいずれか一項に記載の整髪器具。
【請求項９】
ガーゼが、リザーバに対して出っ張っている、請求項８に記載の器具。
【請求項１０】
噴霧器が、ヘッド内に位置しており、ヘッドはまた、使用中、噴霧される流体を毛髪上に放出するための開口も備える、請求項１から９のいずれか一項に記載の器具。
【請求項１１】
電力供給装置を収容するハンドルを備える、請求項１から１０のいずれか一項に記載の器具。
【請求項１２】
毛髪有益剤を毛髪上に付着するための方法であって、
ｉ）１３以下の平均炭素鎖長を有する炭化水素と、有益剤とを含む組成物を形成するステップであって、組成物が、２５°Ｃで５ｃＳｔ未満の粘度を有する、ステップと、
ｉｉ）製剤を請求項１から１１のいずれか一項で説明された機器を用いて噴霧するステップとを含む、方法。
【発明の詳細な説明】
【技術分野】
【０００１】
本発明は、整髪器具およびそれと共に使用するための製剤に関する。
【発明の概要】
【発明が解決しようとする課題】
【０００２】
本発明は、整髪器具からの有益剤、特にシリコーンの付着問題を対象とする。
【課題を解決するための手段】
【０００３】
したがって、本発明は、ヘッドと、噴霧器と、そのための電力供給装置と、使用中、噴霧器によって毛髪に塗布される組成物を収容するリザーバとを備える整髪器具を提供し、組成物は、１３以下の平均炭素鎖長を有する炭化水素を含む溶液と、有益剤とを含み、このとき、組成物は、２５°Ｃで５ｃＳｔ以下の粘度を有する。
【０００４】
好ましくは、ヘッドは、剛毛または歯状支持部のものであり、より好ましくは、器具は、くしまたはブラシである。最も好ましくは、器具はブラシである。
【０００５】
噴霧器は、当技術分野で知られているものから選択される。好ましくは、噴霧器は、剛性リングによって画定されたガーゼと、噴霧される組成物を収容するためのリザーバと、電力供給装置に接続された回路とを備える。そのような噴霧器は、Ａｅｒｏｇｅｎ（Ｒ）から市販されている。
【０００６】
好ましくは、ガーゼは、リザーバに対して出っ張っている。これは、使用中、噴霧される流体の毛髪方向への移動を改良する。
【０００７】
好ましくは、噴霧器は、ヘッド内に位置しており、ヘッドはまた、使用中、噴霧される流体を毛髪に放出するための開口も備える。好ましくは、開口は、ヘッド内の穴または長穴である。好ましい実施形態では、複数の開口が存在する。
【０００８】
器具がブラシである場合、開口は、ブラシヘッド上の中央に位置することが好ましい。より好ましくは開口は、剛毛によって取り囲まれる。２つ以上の開口が存在する場合、これらは、好ましくは、噴霧されるものの均一な放出をもたらすためにブラシヘッド上に対称に配置される。
【０００９】
器具がくしである場合、くしヘッド上に均一に位置する複数の開口が存在することが好ましい。
【００１０】
好ましくは、噴霧器は、器具内のチャンバ内に位置しており、チャンバは、チャネルによって外部に連結される。
【００１１】
好ましくは、器具は、電力源を収容するハンドルを備える。あるいは、電力源は、別個のものでもよく、器具は、主電源から供給されてよい。
【００１２】
リザーバ内に収容される組成物は、１３以下の平均炭素鎖長を有する炭化水素を含む。
【００１３】
有益剤は、保湿剤、抗しわ剤、毛髪栄養剤など、香料、シリコーンオイル、ワックス、高級脂肪酸、エッセンシャルオイル、脂質、皮膚冷却材、ビタミン、日焼け止め剤、グリセリン、ヘアスタイリングポリマー、着色剤、ヘアコンディショナー、毛髪成長促進剤、ビタミン、ヘアーストレート剤、毛髪成長刺激剤、脱毛阻害剤、抗菌剤、抗真菌剤、抗炎症剤、かゆみ止め剤、皮脂抑制剤、日焼け止め剤およびそれらの混合物からなる群から選択され得る。
【００１４】
有益剤は、好ましくは、シリコーンである。
【００１５】
適切なシリコーンは、ポリオルガノシロキサン、特にＣＴＦＡ指定のジメチコーンを有するポリジメチルシロキサンを含む。
【００１６】
シリコーンが、２５℃で１０００ｃＳｔを下回る粘度、より好ましくは７００ｃＳｔを下回る粘度、より好ましくは２５°Ｃで５００ｃＳｔを下回る粘度を有すれば好ましい。３５０以下の粘度を備えたシリコーンが特に好ましい。
【００１７】
必要とされる粘度を有する適切なシリコーンは、Ｄｏｗ  Ｃｏｒｎｉｎｇ、Ｗａｃｋｅｒ、ＧＥ  ａｎｄ  Ｃｌｅａｒｃｏから入手可能である。これらのシリコーンの例は、ＤＣ２００  ｅｘ  Ｄｏｗ、Ｗａｃｋｅｒ  ＡＫ３５０、およびＣｌｅａｒｃｏからの純正Ｓｉｌｉｃｏｎｅ  Ｆｌｕｉｄ  ３５０ｃＳｔ（食品等級）である。
【００１８】
好ましくは、組成物内のシリコーンの総レベルは、２重量％を下回り、より好ましくは１重量％以下である。
【００１９】
本発明と共に使用される炭化水素は、１３以下の平均炭化水素鎖長を有し、好ましくは、炭化水素鎖は、６を上回る平均鎖長を有し、より好ましくは、炭化水素は、８から１２の平均鎖長を有する。適切な一次溶媒は、イソドデカンおよびイソパラフィアンＨ（Ｃ９−１２）（アイソパーＨ）を含む。
【００２０】
本発明の一部の態様では、溶媒システムは、少なくとも２つの成分を含むことができる。この溶媒混合物において使用されるのに適切な二次溶媒は、シクロペンタシロキサン、パルミチン酸イソプロピル、およびミリスチン酸イソプロピルを含む。二次溶媒のレベルは、溶媒混合物の２０重量％を超えてはならず、好ましくは、二次溶媒のレベルは、１０重量％を超えてはならない
この組成物内に存在する炭化水素は、好ましくは、それらが有益剤を可溶化することができるレベルで存在する。好ましくは、炭化水素のレベルは、全組成の８０重量％を上回り、より好ましくは９０重量％を上回り、最も好ましくは９５重量％を上回る。
【００２１】
最終組成物の粘度は、２５°Ｃで４．５ｃＳｔ以下であり、より好ましくは２５°Ｃで４ｃＳｔ以下である。好ましくは、粘度は、２５°Ｃで１．５ｃＳｔ以上であり、より好ましくは２ｃＳｔを上回る。
【００２２】
このシステムを用いて塗布される組成物が、塗布後に毛髪上に残され、すぐに（塗布１０分以内に）洗い流されない場合が好ましい。そのような生成物は、洗い流さない組成物として知られている。
【００２３】
本発明は、次に、以下の非限定的な図を参照して説明される。
【図面の簡単な説明】
【００２４】
【図１】本発明によるブラシの概略断面図である。
【図２ａ】本発明によるブラシの平面図である。
【図２ｂ】本発明によるブラシの平面図である。
【図２ｃ】本発明によるブラシの平面図である。
【発明を実施するための形態】
【００２５】
詳細には、図１は、電力供給装置３を収容するハンドル２に連結されたブラシヘッド１を示している。ヘッド１は、ガーゼ７用の支持体５と、毛髪ケア組成物を収容するリザーバ６とからなる噴霧器１０を収容する。ブラシヘッド１はまた、そこに従属する剛毛８と、噴霧される毛髪ケア組成物の放出のためのヘッド１内の開口９とを有する。
【００２６】
図２は、本発明による開口の３つの実施形態を示している。図２ａは、ブラシヘッドの中央を下方向に通り、剛毛８によってすべての側部が取り囲まれている開口９を備えたブラシヘッド１を示している。図２ｂでは、均一に離間され、ブラシ（図示せず）のほぼ長手方向の軸に垂直な３つの開口が存在している。図２ｃでは、３つのダイアモンド形状の開口の２本線として配置された６つの開口が存在している。
【００２７】
以下の非限定的な例は、本発明の利点を示している。
【００２８】
Ｘｇの組成物が、図１の器具のリザーバ内に置かれた。器具は、そこから出現する霧が、毛髪上に付着するように置かれた。器具は、リザーバが空になるまで作動された。毛髪上に付着されたシリコーンの量が、標準的なＸ線蛍光技術を用いて測定された。
【００２９】
【表１】
2012504988.tif 000002
【図１】
2012504988.tif 000003
【図２ａ】
2012504988.tif 000004
【図２ｂ】
2012504988.tif 000005
【図２ｃ】
2012504988.tif 000006
【国際調査報告】
2012504988.tif 000007
2012504988.tif 000008